(57)【特許請求の範囲】
【請求項１】
表示装置の表示画面が露出した第一壁を有した第一カバーと、前記表示画面と交差した第一方向に前記第一カバーと重なった第二カバーと、第一端部と、前記第一端部と交差した第二端部と、前記第二端部の前記第一端部とは反対側で前記第一端部に沿って延びた第三端部と、を有した筐体と、
前記第一カバーと前記第二カバーとの間に位置されたアンテナと、
前記第一カバーと前記第二カバーとを結合した複数のネジ部材と、
前記複数のネジ部材のうち前記アンテナに最も近い一つのネジ部材に前記第一カバーおよび前記第二カバーとともに共締めされずに当該一つのネジ部材の前記アンテナとは反対側にずれて位置された基板と、
前記第一端部または前記第三端部と前記第二端部との間の角部を覆ったベース部と、前記ベース部から前記筐体の中心部側に突出し前記第一カバーと前記第二カバーとの間に挟まれた取付片部と、を有した弾性体と、
を備え、
前記弾性体は、前記第一カバーおよび前記第二カバーとは別部材であり、前記ネジ部材によって前記第一カバーおよび前記第二カバーに固定され、
前記第一カバーには、前記第一壁から前記第一方向に突出したボス部が設けられ、
前記取付片部には、前記ボス部が前記第一方向に貫通する開口部が設けられ、
前記弾性体は、前記開口部に対して前記中心部側の前記取付片部における前記開口部の周縁部から前記第一方向の反対方向に突出した突出部を有し、
前記取付片部は、前記ボス部に支持された、電子機器。
【請求項２】
前記アンテナと前記一つのネジ部材との間に位置された部分を含み、前記第一カバーと前記第二カバーとの間をシールしたシール部材を備えた、請求項１に記載の電子機器。
【請求項３】
タッチパネルと、
前記タッチパネルおよび前記アンテナとは別の複数の入出力部と、
を備え、
前記第一端部に、前記第一方向と交差した第二方向に延び前記複数の入出力部のうち少なくとも半分以上が設けられた、請求項１または２に記載の電子機器。
【請求項４】
前記アンテナは、前記第一端部よりも前記第三端部の近くに位置された、請求項１〜３のうちいずれか一つに記載の電子機器。
【請求項５】
前記第二カバーは、前記取付片部の前記中心部側に隣接し、前記第一端部または前記第三端部と前記第二端部との間に亘った第二壁を有した、請求項１〜４のうちいずれか一つに記載の電子機器。
【請求項６】
前記弾性体は、前記筐体の外部に露出した、請求項１〜５のうちいずれか一つに記載の電子機器。
【発明の詳細な説明】
【技術分野】
【０００１】
本発明は、電子機器に関する。
【背景技術】
【０００２】
従来、電子機器として、筐体と、アンテナと、筐体の第一カバーと第二カバーとを結合した複数のネジ部材と、アンテナの近傍に位置されネジ部材によって第一カバーおよび第二カバーとともに共締めされた基板と、を備えたタブレット型のパーソナルコンピュータが、知られている（例えば、特許文献１参照）。
【先行技術文献】
【特許文献】
【０００３】
【特許文献１】特許第６５６１７０５号公報
【発明の概要】
【発明が解決しようとする課題】
【０００４】
この種の電子機器では、例えば、アンテナ特性の劣化を抑制できたり等、より不都合が少なくなるよう改善された新規な構成が得られれば、有益である。
【０００５】
そこで、本発明の課題の一つは、より不都合が少なくなるよう改善された新規な構成の電子機器を得ることである。
【課題を解決するための手段】
【０００６】
本発明の第一態様にかかる電子機器は、表示装置の表示画面が露出した第一壁を有した第一カバーと、前記表示画面と交差した第一方向に前記第一カバーと重なった第二カバーと、第一端部と、第一端部と交差した第二端部と、前記第二端部の前記第一端部とは反対側で前記第一端部に沿って延びた第三端部と、を有した筐体と、前記第一カバーと前記第二カバーとの間に位置されたアンテナと、前記第一カバーと前記第二カバーとを結合した複数のネジ部材と、前記複数のネジ部材のうち前記アンテナに最も近い一つのネジ部材に前記第一カバーおよび前記第二カバーとともに共締めされずに当該一つのネジ部材の前記アンテナとは反対側にずれて位置された基板と、前記第一端部または前記第三端部と前記第二端部との間の角部を覆ったベース部と、前記ベース部から前記筐体の中心部側に突出し前記第一カバーと前記第二カバーとの間に挟まれた取付片部と、を有した弾性体と、を備え、前記弾性体は、前記第一カバーおよび前記第二カバーとは別部材であり、前記ネジ部材によって前記第一カバーおよび前記第二カバーに固定され、前記第一カバーには、前記第一壁から前記第一方向に突出したボス部が設けられ、前記取付片部には、前記ボス部が前記第一方向に貫通する開口部が設けられ、前記弾性体は、前記開口部に対して前記中心部側の前記取付片部における前記開口部の周縁部から前記第一方向の反対方向に突出した突出部を有し、前記取付片部は、前記ボス部に支持されている。
【０００７】
また、前記アンテナと前記一つのネジ部材との間に位置された部分を含み、前記第一カバーと前記第二カバーとの間をシールしたシール部材を備える。
【０００８】
また、タッチパネルと、前記タッチパネルおよび前記アンテナとは別の複数の入出力部と、を備え、前記第一端部に、前記第一方向と交差した第二方向に延び前記複数の入出力部のうち少なくとも半分以上が設けられている。
【０００９】
また、前記アンテナは、前記第一端部よりも前記第三端部の近くに位置される。
【００１１】
また、前記第二カバーは、前記取付片部の前記中心部側に隣接し、前記第一端部または前記第三端部と前記第二端部との間に亘った第二壁を有している。
また、前記弾性体は、前記筐体の外部に露出している。
【発明の効果】
【００１２】
本発明の上記態様によれば、アンテナ特性の劣化を抑制できたり等、より不都合が少なくなるよう改善された新規な構成の電子機器を得ることができる。
【図面の簡単な説明】
【００１３】
【図１】図１は、実施形態の電子機器の正面側からの例示的な斜視図である。
【図２】図２は、実施形態の電子機器の正面側からの例示的な分解斜視図である。
【図３】図３は、実施形態の電子機器の背面側からの例示的な分解斜視図である。
【図４】図４は、図２におけるミドルカバーおよびリヤカバーの例示的な平面図である。
【図５】図５は、図４のV−V断面図である。
【図６】図６は、図４の角部の近傍における分解斜視図である。
【図７】図７は、図４のミドルカバーにおける角部の拡大図である。
【図８】図８は、図３のフロントカバーにおける角部の拡大図である。
【図９】図９は、実施形態の弾性体の例示的な斜視図である。
【図１０】図１０は、実施形態の弾性体の例示的な断面図である。
【図１１】図１１は、図１０のXI−XI断面図である。
【図１２】図１２は、図１のXII−XII断面図である。
【発明を実施するための形態】
【００１４】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１５】
なお、本明細書では、序数は、部品や、部材、部位、位置、方向等を区別するためだけに用いられており、順番や優先度を示すものではない。
【００１６】
［実施形態］
図１は、実施形態の電子機器１の正面側からの斜視図であり、図２は、電子機器１の正面側からの分解斜視図である。なお、以下の説明では、便宜上、互いに直交する三方向が定義されている。Ｘ方向は、電子機器１の厚さ方向（前後方向）に沿い、Ｙ方向は、電子機器１の横幅方向（左右方向、長手方向）に沿い、Ｚ方向は、電子機器１の縦幅方向（上下方向、短手方向）に沿う。
【００１７】
また、以下の説明では、Ｘ方向は後方、Ｘ方向の反対方向は前方とも称され、Ｙ方向は左方、Ｙ方向の反対方向は右方とも称され、Ｚ方向は上方、Ｚ方向の反対方向は下方とも称される場合がある。Ｘ方向は、第一方向の一例であり、Ｚ方向は、第二方向の一例であり、Ｙ方向は、第三方向の一例である。
【００１８】
図１，２に示されるように、電子機器１は、例えば、タブレット型のパーソナルコンピュータとして構成されている。電子機器１は、筐体２や、表示装置３、タッチパネル４、メイン基板５、弾性体６、後述するアンテナ７（図４，５参照）等を備えている。なお、電子機器１は、この例には限定されず、例えば、スマートフォンや、携帯電話、ゲーム機等であってもよい。電子機器１は、携帯型情報機器等とも称される。
【００１９】
筐体２は、例えば、Ｘ方向に扁平な直方体状の箱型に構成されている。筐体２は、前壁２ａや、後壁２ｂ、左壁２ｃ、上壁２ｄ、右壁２ｅ、下壁２ｆ等の複数の壁を有している。左壁２ｃ、上壁２ｄ、右壁２ｅ、および下壁２ｆは、側壁や、周壁、立壁等とも称される。
【００２０】
前壁２ａは、表示装置３の表示画面３ａが露出する四角形状の枠状に構成されている。後壁２ｂは、Ｘ方向と直交する方向（ＹＺ平面）に沿って延びた四角形状の板状に構成され、前壁２ａのＸ方向に離間して位置されている。前壁２ａは、筐体２の前端部を構成し、後壁２ｂは、筐体２の後端部を構成している。前壁２ａは、第一壁の一例である。
【００２１】
左壁２ｃおよび右壁２ｅは、いずれも、Ｙ方向と直交する方向（ＸＺ平面）に沿って延びており、Ｙ方向に間隔をあけて互いに平行に設けられている。左壁２ｃは、前壁２ａおよび後壁２ｂのＹ方向の端部の間に亘り、右壁２ｅは、前壁２ａおよび後壁２ｂのＹ方向の反対方向の端部の間に亘っている。左壁２ｃは、筐体２の左端部を構成し、右壁２ｅは、筐体２の右端部を構成している。
【００２２】
上壁２ｄおよび下壁２ｆは、いずれも、Ｚ方向と直交する方向（ＸＹ平面）に沿って延びており、Ｚ方向に間隔をあけて互いに平行に設けられている。上壁２ｄは、前壁２ａおよび後壁２ｂのＺ方向の端部の間に亘り、下壁２ｆは、前壁２ａおよび後壁２ｂのＺ方向の反対方向の端部の間に亘っている。上壁２ｄは、筐体２の上端部を構成し、下壁２ｆは、筐体２の下端部を構成している。
【００２３】
また、図２に示されるように、右壁２ｅには、複数の入出力部１１〜１５が設けられている。入出力部１１〜１５は、メイン基板５と接続されている。本実施形態では、例えば、入出力部１１は、ＤＣ−ＩＮコネクタであり、入出力部１２は、ＳＤカード用のコネクタであり、入出力部１３は、ＵＳＢコネクタであり、入出力部１４は、Ｔｙｐｅ−ＣのＵＳＢコネクタであり、入出力部１５は、Ａｕｄｉｏ用のコネクタである。入出力部１１〜１５は、入出力ポート等とも称される。
【００２４】
なお、入出力部１１〜１５は、この例には限定されず、例えば、電源ボタンや、スピーカ１７（図３参照）のボリュームボタン等の操作部を含む。そして、本実施形態では、これらを含む複数の入出力部１１〜１５のうちの半分以上が右壁２ｅに設けられている。右壁２ｅ（右端部）は、第一端部の一例である。なお、入出力部１１〜１４は、例えば、開閉可能な蓋等によって覆われている。また、右壁２ｅには、タッチペンのテザーを引っ掛ける引掛部２ｚ等も設けられている。
【００２５】
また、左壁２ｃの近くには、後述するアンテナ７（図４，５参照）が設けられている。すなわち、アンテナ７と複数の入出力部１１〜１５（メイン基板５）とがＹ方向に離間して位置されている。上壁２ｄ（上端部）および下壁２ｆ（下端部）は、第二端部の一例であり、左壁２ｃ（左端部）は、第三端部の一例である。なお、下壁２ｆには、周辺機器とのドッキング用のコネクタ３２が設けられている。
【００２６】
また、筐体２には、四つの角部２ｈ〜２ｋが設けられている。角部２ｈは、左壁２ｃと上壁２ｄとの交差部によって構成され、角部２ｉは、上壁２ｄと右壁２ｅとの交差部によって構成されている。また、角部２ｊは、右壁２ｅと下壁２ｆとの交差部によって構成され、角部２ｋは、下壁２ｆと左壁２ｃとの交差部によって構成されている。各角部２ｈ〜２ｋは、角丸（角Ｒ）状に構成され、後述する弾性体６によって覆われている。
【００２７】
図３は、電子機器１の背面側からの分解斜視図であり、図４は、図２におけるミドルカバー２２およびリヤカバー２３の平面図であり、図５は、図４のV−V断面図である。図３〜５に示されるように、筐体２は、例えば、フロントカバー２１や、ミドルカバー２２、リヤカバー２３等の複数の部品（分割体）の組み合わせによって構成されている。フロントカバー２１、ミドルカバー２２、およびリヤカバー２３は、Ｘ方向に並んでいる。
【００２８】
リヤカバー２３は、例えば、後壁２ｂと、左壁２ｃ、上壁２ｄ、右壁２ｅ、および下壁２ｆのそれぞれの一部（後側部分）と、を有している。リヤカバー２３とミドルカバー２２との間には、内部部品等が収容されている。リヤカバー２３は、フロントカバー２１およびミドルカバー２２に対して、爪による所謂スナップフィットやネジ等の結合具によって結合（一体化）される。リヤカバー２３は、第三カバーの一例である。
【００２９】
ミドルカバー２２は、例えば、立壁２２ａ（図５参照）と、中壁２ｇと、を有している。立壁２２ａは、左壁２ｃ、上壁２ｄ、右壁２ｅ、および下壁２ｆのそれぞれの一部（内側部分）を構成している。中壁２ｇは、前壁２ａと後壁２ｂとの間に位置され、左壁２ｃと右壁２ｅとの間、および上壁２ｄと下壁２ｆとの間に亘っている。ミドルカバー２２は、第二カバーの一例であり、中壁２ｇは、第五壁の一例である。
【００３０】
フロントカバー２１は、例えば、前壁２ａと、左壁２ｃ、上壁２ｄ、右壁２ｅ、および下壁２ｆのそれぞれの一部（前側部分）と、を有している。フロントカバー２１とミドルカバー２２との間には、例えば、表示装置３等が収容されている。フロントカバー２１は、ミドルカバー２２に対して、ネジやボルト等のネジ部材３１によって結合される。フロントカバー２１は、第一カバーの一例である。フロントカバー２１、ミドルカバー２２、およびリヤカバー２３は、例えば、合成樹脂材料等によって構成されている。
【００３１】
ネジ部材３１は、例えば、頭部３１ａと、軸部３１ｂと、を有している。頭部３１ａは、ミドルカバー２２のフロントカバー２１とは反対側、すなわちＸ方向に位置されている。頭部３１ａは、ミドルカバー２２の中壁２ｇに設けられた貫通孔２ｘよりも大径である。頭部３１ａは、第一部分等とも称される。
【００３２】
軸部３１ｂは、頭部３１ａからＸ方向の反対方向に延び、貫通孔２ｘに挿入されている。軸部３１ｂの外周面には、フロントカバー２１に設けられたナット３３の雌ネジと噛み合う雄ネジが設けられている。ネジ部材３１は、雄ネジ部材等とも称され、軸部３１ｂは、第二部分等とも称される。
【００３３】
また、頭部３１ａと貫通孔２ｘの周縁部との間には、リング状のシール部材３４が設けられている。シール部材３４は、例えば、シリコンゴム等によって構成されている。ネジ部材３１は、シール部材３４が頭部３１ａとミドルカバー２２との間に挟まれた状態でナット３３と締結されることにより、貫通孔２ｘの周縁部がシールされる。
【００３４】
ネジ部材３１は、ミドルカバー２２における立壁２２ａの内側に位置されている。図４に示されるように、本実施形態では、筐体２の周縁部、すなわち左壁２ｃ、上壁２ｄ、右壁２ｅ、および下壁２ｆに沿って複数のネジ部材３１が設けられている。また、フロントカバー２１におけるネジ部材３１と対応する位置には、上述したナット３３が一体化された筒部２ｗや、雌ネジが設けられたボス部２ｎ（図６参照）等が設けられている。
【００３５】
そして、本実施形態では、メイン基板５（図４参照）が、複数のネジ部材３１のうちアンテナ７に最も近いネジ部材３１Ａに対してアンテナ７とは反対側（筐体２内側）に離れて位置されている。すなわち、メイン基板５は、ネジ部材３１Ａによってフロントカバー２１およびミドルカバー２２とともに共締めされないように構成されている。メイン基板５は、基板の一例である。
【００３６】
メイン基板５には、例えば、ＣＰＵ（Central  Processing  Unit）や、ＲＯＭ（Read  Only  Memory）、ＲＡＭ（Random  Access  Memory）等の複数の電子部品が実装されている。メイン基板５内の配線とこれら複数の電子部品とによって、電子機器１の制御回路の少なくとも一部が構成されている。
【００３７】
メイン基板５のＹ方向には、バッテリ８が設けられている。バッテリ８は、例えば、板金部材１０によってＸ方向の反対方向から覆われている。すなわち、板金部材１０は、バッテリ８と表示装置３との間を仕切っている。板金部材１０は、導電性の金属材料によって構成されている。板金部材１０は、グラウンド部材である。
【００３８】
表示装置３（図５参照）は、例えば、液晶ディスプレイ（ＬＣＤ，Liquid  Crystal  Display）である。表示装置３は、Ｘ方向に扁平な直方体状に構成されている。表示装置３の表示画面３ａは、タッチパネル４の透明部によって覆われている。なお、表示装置３は、この例には限定されず、例えば、有機ＥＬディスプレイ（ＯＥＬＤ，Organic  Electro-Luminescent  Display）等であってもよい。また、タッチパネル４は、例えば、表示装置３内に組み込まれた所謂インセルタッチパネルとして構成されてもよい。
【００３９】
タッチパネル４は、表示画面３ａを覆う四角形状の薄板状に構成されている。タッチパネル４は、例えば、ガラス層や、センサ層、保護フィルム層等のＸ方向に積層された複数の層を有している。タッチパネル４は、例えば、前壁２ａに設けられた凹部２ａ２に収容されている。タッチパネル４の表面は、前壁２ａの表面２ａ１よりもＸ方向に凹んで位置されている。すなわち、タッチパネル４は、前壁２ａによって保護されている。
【００４０】
アンテナ７は、立壁２２ａのネジ部材３１Ａとは反対側（筐体２外側）に位置されている。アンテナ７は、例えば、フロントカバー２１の上壁２ｄとミドルカバー２２の立壁２２ａとの間のＺ方向のスペースに収容されている。アンテナ７は、ケーブル等を介して、アンテナ基板９（図４参照）と電気的に接続されている。アンテナ基板９には、電子回路が設けられている。アンテナ７は、メインアンテナ等とも称される。
【００４１】
また、立壁２２ａにおけるＸ方向の反対方向の端面には、シール部材３５が設けられている。シール部材３５は、例えば、左壁２ｃ、上壁２ｄ、右壁２ｅ、および下壁２ｆに沿った四角形状の枠状に構成されている。言い換えると、シール部材３５は、複数のネジ部材３１と筐体２の周縁部としての左壁２ｃ、上壁２ｄ、右壁２ｅ、および下壁２ｆとの間に位置されている。また、シール部材３５は、ネジ部材３１Ａとアンテナ７との間に位置された部分を含んでいる。
【００４２】
本実施形態では、ネジ部材３１によってシール部材３５がＸ方向に圧縮された状態でフロントカバー２１とミドルカバー２２とが結合されることにより、フロントカバー２１とミドルカバー２２との間が全周に亘ってシールされる。これにより、筐体２の内部への水滴や、塵芥等の侵入が抑制される。シール部材３５は、例えば、アクリルゴム等によって構成されている。
【００４３】
図６は、図４の角部２ｊの近傍における分解斜視図であり、図７は、図４のミドルカバー２２における角部２ｊの拡大図である。図６に示されるように、弾性体６は、例えば、筐体２の四つの角部２ｈ〜２ｋに着脱可能（分離可能）に取り付けられている。具体的には、弾性体６は、上述した貫通孔２ｘを貫通したネジ部材３１によって、ミドルカバー２２とともにフロントカバー２１のボス部２ｎに共締め（固定）されている。
【００４４】
弾性体６は、例えば、エラストマやゴム等によって構成されている。弾性体６は、電子機器１が置かれる不図示の設置面と筐体２との干渉を抑制する機能や、筐体２が設置面に対して滑ったりがたついたりするのを抑制する機能、筐体２の角部２ｈ〜２ｋを保護する機能等を有している。弾性体６は、保護部材（コーナーガード）や、滑り止め部材、ゴム脚等とも称される。
【００４５】
弾性体６は、例えば、ベース部６ａと、取付片部６ｂと、を有している。ベース部６ａは、例えば、筐体２の中心部Ｃ（図１参照）を中心とした円弧状に構成されている。言い換えると、ベース部６ａは、角部２ｈ〜２ｋから中心部Ｃとは反対側に凸の状態で湾曲している。ベース部６ａは、角部２ｈ〜２ｋを中心部Ｃとは反対側、すなわち筐体２の外側から覆っている。ベース部６ａは、覆部や、露出部等とも称される。
【００４６】
取付片部６ｂは、ベース部６ａから中心部Ｃ側に突出している。取付片部６ｂには、上述したネジ部材３１およびボス部２ｎがＸ方向に貫通する開口部６ｄが設けられている。弾性体６は、取付片部６ｂがフロントカバー２１とミドルカバー２２との間に挟まれた状態で、筐体２に結合（固定）される。取付片部６ｂは、張出部や、延部、水平部等とも称される。
【００４７】
ここで、仮にミドルカバー２２が取付片部６ｂとフロントカバー２１との間に挟まれる構成であった場合、ネジ部材３１による取付片部６ｂの破損を抑制するために、頭部３１ａの座面を比較的広く確保する必要がある。その点、本実施形態によれば、取付片部６ｂがフロントカバー２１とミドルカバー２２との間に挟まれる構成であるため、取付片部６ｂに頭部３１ａの座面を広く確保する必要が無くなり、ひいては取付片部６ｂの中心部Ｃ側への突出量をより小さくすることができる。
【００４８】
また、図７に示されるように、ミドルカバー２２には、斜壁２２ｂが設けられている。斜壁２２ｂは、中壁２ｇからＸ方向の反対方向に突出している。斜壁２２ｂは、右壁２ｅおよび左壁２ｃの立壁２２ａと上壁２ｄおよび下壁２ｆの立壁２２ａに対して傾斜し、当該二つの立壁２２ａの間に亘るように延びている。斜壁２２ｂは、弾性体６がフロントカバー２１とミドルカバー２２との間に取り付けられた状態（図１１参照）で、取付片部６ｂの中心部Ｃ側に隣接して位置される。斜壁２２ｂは、第二壁の一例である。
【００４９】
本実施形態によれば、上述した取付片部６ｂの中心部Ｃ側への突出量をより小さくすることができる分、斜壁２２ｂによって二つの立壁２２ａの間を斜めに最短で接続することができる。その結果、例えば、筐体２における斜壁２２ｂよりも中心部Ｃ側の収容スペースをより広く確保することができる。
【００５０】
次に、弾性体６の取付構造についてより詳しく説明する。図８は、図３のフロントカバー２１における角部２ｋの拡大図であり、図９は、弾性体６の斜視図であり、図１０は、弾性体６の断面図であり、図１１は、図１０のXI−XI断面図である。なお、角部２ｋならびに当該角部２ｋに配置される弾性体６の構成（形状）は、他の角部２ｈ〜２ｊならびに当該角部２ｈ〜２ｊに配置される弾性体６の構成（形状）と同じである。
【００５１】
図８〜１１に示されるように、フロントカバー２１の角部２ｋには、立壁２ｍや、リブ２ｐ、ボス部２ｎ、仕切壁２ｒ等の複数の取付壁が設けられている。立壁２ｍ、リブ２ｐ、ボス部２ｎ、および仕切壁２ｒは、それぞれ前壁２ａからＸ方向、すなわち後方に突出している。
【００５２】
立壁２ｍは、角部２ｋを構成する二つの下壁２ｆおよび左壁２ｃの間に亘って設けられている。立壁２ｍは、弾性体６のベース部６ａに沿った円弧状に構成されている。すなわち、立壁２ｍは、角部２ｋから中心部Ｃとは反対側に凸の状態で湾曲している。立壁２ｍには、Ｘ方向に開放された複数の溝部２ｓが設けられている。溝部２ｓは、スリットや、切欠部等とも称される。
【００５３】
また、立壁２ｍと下壁２ｆおよび左壁２ｃとの間には、中心部Ｃ側に凹んだ凹部２ｙが設けられている。言い換えると、下壁２ｆの表面２ｆ１および左壁２ｃの表面２ｃ１は、立壁２ｍの表面よりも中心部Ｃとは反対側に突出している。図１０，１１に示されるように、弾性体６は、ベース部６ａが凹部２ｙを塞いだ（覆った）状態で、フロントカバー２１（筐体２）と一体化される。凹部２ｙは、段差等とも称される。
【００５４】
ボス部２ｎは、立壁２ｍの中心部Ｃ側、すなわち筐体２内側に離間して位置されている。ボス部２ｎは、円筒状に構成され、外周面２ｎ１と、内周面２ｎ２と、を有している。内周面２ｎ２には、上述したネジ部材３１の雄ネジと噛み合う雌ネジが設けられている。ボス部２ｎは、リブ２ｐおよび仕切壁２ｒよりもＸ方向に突出している。このボス部２ｎの先端側の外周面２ｎ１は、上述した取付片部６ｂの開口部６ｄの内面と面する。
【００５５】
リブ２ｐは、下壁２ｆおよび左壁２ｃに対して傾斜し、下壁２ｆとボス部２ｎとの間および左壁２ｃとボス部２ｎとの間に亘るように延びている。リブ２ｐと立壁２ｍとの間には、Ｘ方向に開放された溝部２ｔが設けられている。溝部２ｔは、溝部２ｓを介して立壁２ｍの中心部Ｃとは反対側（筐体２外側）と連通している。溝部２ｔは、収容室や、凹部等とも称される。
【００５６】
仕切壁２ｒは、立壁２ｍとボス部２ｎとの間に亘るように延びている。フロントカバー２１には、立壁２ｍの周方向（長手方向）に間隔をあけて複数の仕切壁２ｒが設けられている。仕切壁２ｒは、溝部２ｔを立壁２ｍの周方向に複数の空間に仕切っている。そして、各溝部２ｔおよび溝部２ｓには、弾性体６の係合部６ｃ（図９〜１１参照）が係合される。
【００５７】
係合部６ｃは、ベース部６ａから中心部Ｃ側（立壁２ｍ側）に突出している。係合部６ｃは、例えば、ベース部６ａの中心部Ｃ側の内面６ａ２において取付片部６ｂとＸ方向の反対方向にずれて位置されている。ベース部６ａには、溝部２ｓ，２ｔに対応して複数の係合部６ｃが互いに間隔をあけて設けられている。
【００５８】
係合部６ｃは、例えば、第一部分６ｃ１と、第二部分６ｃ２（図１０参照）と、をそれぞれ有している。第二部分６ｃ２は、ベース部６ａから中心部Ｃ側に延び、立壁２ｍの溝部２ｓを貫通している。第一部分６ｃ１は、第二部分６ｃ２のベース部６ａとは反対側の端部から立壁２ｍに沿って延びている。係合部６ｃは、第一部分６ｃ１および第二部分６ｃ２によって、Ｘ方向と直交したＹＺ断面が略Ｔ字状に構成されている。
【００５９】
係合部６ｃは、立壁２ｍの溝部２ｓ，２ｔにＸ方向から係合される。第一部分６ｃ１は、係合部６ｃが溝部２ｓ，２ｔに係合された状態では、立壁２ｍにおける溝部２ｓの周縁部と面している。言い換えると、ベース部６ａと第一部分６ｃ１との間に立壁２ｍが挟まれる。これにより、弾性体６のフロントカバー２１に対する中心部Ｃとは反対側への移動が制限されている。
【００６０】
また、弾性体６には、突出部６ｅ（図６，９参照）が設けられている。突出部６ｅは、取付片部６ｂにおける開口部６ｄの周縁部からＸ方向の反対方向に突出している。突出部６ｅは、開口部６ｄによって取付片部６ｂの幅が狭くなった部分を補強している。突出部６ｅは、弾性体６がフロントカバー２１に取り付けられた状態では、ボス部２ｎの外周面２ｎ１に支持される。
【００６１】
また、弾性体６には、凹部６ｆ（図６，９参照）が設けられている。凹部６ｆは、ベース部６ａの内面６ａ２とは反対側の外面６ａ１から中心部Ｃ側に凹んでいる。凹部６ｆは、ベース部６ａの周方向（長手方向）の両端部に設けられている。凹部６ｆは、例えば、コネクタ３２（図１，６参照）と接続されるクレードル等の周辺機器の逃げ溝として機能することができる。
【００６２】
ここで、本実施形態では、ベース部６ａは、弾性体６が筐体２に取り付けられた状態では、左壁２ｃ、上壁２ｄ、右壁２ｅ、および下壁２ｆのそれぞれの壁の表面２ｃ１，２ｄ１，２ｅ１，２ｆ１よりも中心部Ｃとは反対側（筐体２外側）に突出している。また、ベース部６ａは、前壁２ａの表面２ａ１よりもＸ方向の反対方向に突出しているとともに、後壁２ｂの表面２ｂ１よりもＸ方向に突出している。
【００６３】
これにより、電子機器１が置かれる不図示の設置面と筐体２との干渉が抑制されている。その結果、例えば、前壁２ａ、後壁２ｂ、左壁２ｃ、上壁２ｄ、右壁２ｅ、および下壁２ｆのそれぞれが設置面と面する複数の姿勢のうちどの姿勢で置かれた場合にも、電子機器１が設置面に対して滑ったりがたついたりするのを抑制することができる。また、例えば、電子機器１が設置面に対してどの姿勢で落下した場合にも弾性体６が設置面と当接しやすくなり、ひいては筐体２やタッチパネル４等の保護性をより高めることができる。
【００６４】
図１２は、図１のXII−XII断面図である。図１２に示されるように、タッチパネル４と右壁２ｅとの間には、スピーカ１７と筐体２の外側とを接続する音道の一部を構成する開口部４ａが設けられている。なお、開口部４ａ（音道）の構成は、タッチパネル４と左壁２ｃとの間に設けられた開口部４ａ（音道）の構成と略同じ（対称）である。
【００６５】
開口部４ａは、例えば、タッチパネル４の右壁２ｅ側の端部を切り欠いた切欠部である。開口部４ａは、Ｙ方向に凹み、Ｙ方向の反対方向に開放されている。
【００６６】
このように、本実施形態では、開口部４ａがフロントカバー２１側では無くタッチパネル４側に設けられているため、例えば、フロントカバー２１における前壁２ａの縁部２ａ３の幅を全周に亘って均一に確保しやすい。よって、例えば、電子機器１の意匠性が向上しやすい。また、例えば、縁部２ａ３の幅を全周に亘って比較的広く確保することができるため、タッチパネル４の保護性がより高まりやすい。
【００６７】
また、本実施形態では、縁部２ａ３は、Ｚ方向から見た場合に、角丸（角Ｒ）状に構成されている。これにより、例えば、ユーザーが縁部２ａ３に手指を掛けることにより、前壁２ａが設置面と面した状態で当該設置面に置かれた電子機器１をより容易に持ち上げることができる。また、例えば、縁部２ａ３によって筐体２と設置面との干渉をより抑制することができる。
【００６８】
以上のように、本実施形態では、電子機器１は、筐体２のフロントカバー２１（第一カバー）とミドルカバー２２（第二カバー）との間に位置されたアンテナ７と、フロントカバー２１とミドルカバー２２とを結合した複数のネジ部材３１と、複数のネジ部材３１のうちアンテナ７に最も近い一つのネジ部材３１Ａにフロントカバー２１およびミドルカバー２２とともに共締めされずに当該一つネジ部材３１Ａのアンテナ７とは反対側にずれて位置されたメイン基板５（基板）と、を備える。
【００６９】
このような構成によれば、例えば、アンテナ７とメイン基板５とをより遠くに離して配置することができる。よって、例えば、アンテナ特性の劣化が抑制されやすい。すなわち、ＥＭＣ（electromagnetic  compatibility）の対策を行なうことができる。
【００７０】
また、本実施形態では、電子機器１は、アンテナ７と一つのネジ部材３１Ａとの間に位置された部分を含み、フロントカバー２１とミドルカバー２２との間をシールしたシール部材３５を備える。
【００７１】
このような構成によれば、例えば、メイン基板５と共締めされないネジ部材３１Ａをアンテナ７およびシール部材３５により近づけて配置することができ、ひいては当該ネジ部材３１Ａを利用してシール部材３５をＸ方向（第一方向）に圧縮させることができる。よって、例えば、フロントカバー２１やミドルカバー２２におけるシール部材３５の周囲にシール部材３５を圧縮させる爪や当該爪を成型時に抜くための開口部等を設ける必要がなくなり、ひいては電子機器１の製造に要する手間が減ったり、電子機器１がより小型に構成されたりしうる。
【００７２】
また、本実施形態では、筐体２は、Ｘ方向と交差したＺ方向（第二方向）に延び、タッチパネル４およびアンテナ７とは別の複数の入出力部１１〜１５が設けられた右壁２ｅ（第一端部）を有している。
【００７３】
このような構成によれば、例えば、複数の入出力部１１〜１５が右壁２ｅに集約されるため、電子機器１の操作性が向上しやすい。
【００７４】
また、本実施形態では、筐体２は、右壁２ｅと交差した上壁２ｄおよび下壁２ｆ（第二端部）と、上壁２ｄおよび下壁２ｆの右壁２ｅとは反対側で右壁２ｅに沿って延びた左壁２ｃ（第三端部）と、を有し、アンテナ７は、右壁２ｅよりも左壁２ｃの近くに位置されている。
【００７５】
このような構成によれば、例えば、アンテナ７と複数の入出力部１１〜１５とをより遠くに離して配置することができる。よって、例えば、アンテナ特性の劣化がより抑制されやすい。
【００７６】
また、本実施形態では、電子機器１は、右壁２ｅおよび左壁２ｃと上壁２ｄおよび下壁２ｆとの間の角部２ｈ〜２ｋを覆ったベース部６ａと、ベース部６ａから筐体２の中心部Ｃ側に突出しフロントカバー２１とミドルカバー２２との間に挟まれた取付片部６ｂと、を有した弾性体６を備えている。
【００７７】
このような構成によれば、例えば、弾性体６によって角部２ｈ〜２ｋを保護することができる。よって、例えば、電子機器１が置かれる設置面と筐体２との干渉が抑制されやすい。また、例えば、ベース部６ａおよび取付片部６ｂによって弾性体６の断面係数が増大し、ひいては弾性体６と筐体２とが別体（別成型）で構成された場合にも、弾性体６の剛性や強度が確保されやすい。また、例えば、取付片部６ｂとフロントカバー２１との間にミドルカバー２２が挟まれた場合と比べて、取付片部６ｂにネジ部材３１の頭部３１ａの座面を広く確保する必要が無くなる分、取付片部６ｂの中心部Ｃ側への突出量をより小さくすることができる。
【００７８】
また、本実施形態では、ミドルカバー２２は、取付片部６ｂの中心部Ｃ側に隣接し、右壁２ｅおよび左壁２ｃの一部を構成する立壁２２ａと上壁２ｄおよび下壁２ｆの一部を構成する立壁２２ａとの間に亘った斜壁２２ｂ（第二壁）を有している。
【００７９】
このような構成によれば、例えば、取付片部６ｂの中心部Ｃ側への突出量をより小さくすることができる分、二つの立壁２２ａの間を斜めに最短で接続することができる。その結果、例えば、筐体２における斜壁２２ｂよりも中心部Ｃ側の収容スペースがより広く確保されやすい。
【００８０】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８１】
１…電子機器、２…筐体、２ａ…前壁（第一壁）、２ｃ…左壁（第三端部）、２ｄ…上壁（第二端部）、２ｅ…右壁（第一端部）、２ｆ…下壁（第二端部）、２ｈ〜２ｋ…角部、２ｎ…ボス部、３…表示装置、３ａ…表示画面、４…タッチパネル、５…メイン基板（基板）、６…弾性体、６ａ…ベース部、６ｂ…取付片部、６ｄ…開口部、６ｅ…突出部、７…アンテナ、１１〜１５…入出力部、２１…フロントカバー（第一カバー）、２２…ミドルカバー（第二カバー）、２２ｂ…斜壁（第二壁）、２３…リヤカバー（第三カバー）、３１，３１Ａ…ネジ部材、３５…シール部材、Ｃ…中心部、Ｘ…第一方向、Ｙ…第三方向、Ｚ…第二方向。
【要約】
【課題】アンテナ特性の劣化を抑制できたり等、より不都合が少なくなるよう改善された新規な構成の電子機器を得る。
【解決手段】電子機器１は、筐体２のフロントカバー２１（第一カバー）とミドルカバー２２（第二カバー）との間に位置されたアンテナ７と、フロントカバー２１とミドルカバー２２とを結合した複数のネジ部材３１と、複数のネジ部材３１のうちアンテナ７に最も近い一つのネジ部材３１Ａにフロントカバー２１およびミドルカバー２２とともに共締めされずに当該一つのネジ部材３１Ａのアンテナ７とは反対側にずれて位置されたメイン基板５（基板）と、を備える。
【選択図】図５【図１】
0006781390.tif 000002
【図２】
0006781390.tif 000003
【図３】
0006781390.tif 000004
【図４】
0006781390.tif 000005
【図５】
0006781390.tif 000006
【図６】
0006781390.tif 000007
【図７】
0006781390.tif 000008
【図８】
0006781390.tif 000009
【図９】
0006781390.tif 000010
【図１０】
0006781390.tif 000011
【図１１】
0006781390.tif 000012
【図１２】
0006781390.tif 000013